(57)【要約】【課題】  電極対を利用した被処理水の電解性能が安定した水処理装置を提供する。【解決手段】  電解槽１０には、当該電解槽１０に導入された被処理水に対して電解処理を施すために外部から電力を供給される複数の電極対１が設置される。電解槽１０に導入された被処理水は、実線の矢印で示される方向に流される。そして、電極対１同士の距離（たとえば、点Ｐと点Ｑとを結ぶ一点鎖線で表された線の長さ）は、被処理水の流れる方向について、前の電極対１における電解で発生した水素ガスが次の電極対１に到達するまでに被処理水から分離していくために必要な距離以上とされる。【選択図】        図３
2006167699.tif 000002
【特許請求の範囲】
【請求項１】
被処理水を収容する電解槽と、
前記電解槽内で、当該電解槽内に収容された被処理水に浸された複数の電極対とを備え、
前記電解槽は、被処理水を導入される導入口と、被処理水を排出する排出口とを含み、
前記導入口から前記排出口に被処理水を流れさせる送流装置に接続され、
前記複数の電極対は、前記電解槽内で被処理水が流れる方向について、互いに特定の条件を満たすように配置される、水処理装置。
【請求項２】
前記複数の電極対は、前記電解槽内で被処理水が流れる方向について、互いに、所定の距離以上離されて配置される、請求項１に記載の水処理装置。
【請求項３】
前記所定の距離は、前記電極対に電力が供給されたことによる電解によって被処理水中で生じた気泡が、前記送流装置によって前記電解槽内を流される被処理水から分離する距離である、請求項２に記載の水処理装置。
【請求項４】
前記複数の電極対への電力の供給を制御する制御手段をさらに備え、
前記制御手段は、前記複数の電極対の中の、前記送流装置によって前記導入口から前記排出口まで被処理水が流される流路において近接する二つの電極対について、一方の電極対に含まれる電極には、他方の電極対に含まれる最も近い位置に配置された電極と同じ極性の電力を供給する、請求項１〜請求項３のいずれかに記載の水処理装置。
【請求項５】
被処理水を収容する電解槽と、
前記電解槽内で、当該電解槽内に収容された被処理水に浸された複数の電極対とを備え、
前記電解槽は、被処理水を導入される導入口と、被処理水を排出する排出口とを含み、
前記導入口から前記排出口に被処理水を流れさせる送流装置に接続され、
前記複数の電極対の中で、前記電解槽内で被処理水が流れる方向について、前後に他の電極対が存在する電極対は、前記電解槽の内壁と特定の距離未満の間隔で配置される、水処理装置。
【請求項６】
前記特定の距離は、前記送流装置によって前記電解槽内を流される被処理水において滞留が生じる距離である、請求項５に記載の水処理装置。
【請求項７】
被処理水を収容する電解槽と、
前記電解槽内で、当該電解槽内に収容された被処理水に浸された電極対とを備え、
前記電解槽は、被処理水を導入される導入口と、被処理水を排出する排出口とを含み、
前記導入口から前記排出口に被処理水を流れさせる送流装置に接続され、
前記電極対は、被処理水が前記電解槽内で前記送流装置によって流される方向に主面を沿うように設置された複数枚の板状の電極と、隣接する２枚の前記板状の電極に挟まれるように配置されたスペーサとを含み、
前記スペーサは、前記被処理水が前記電解槽内で前記送流装置によって流される方向に沿う面を含む、水処理装置。
【請求項８】
前記スペーサは、直方体である、請求項７に記載の水処理装置。
【請求項９】
隣接する２枚の前記板状の電極には、複数のスペーサが、挟まれるように配置される、請求項７または請求項８に記載の水処理装置。
【発明の詳細な説明】
【技術分野】
【０００１】
本発明は、水処理装置に関し、特に、被処理水から窒素成分を除去する水処理装置に関する。
【背景技術】
【０００２】
従来から、電極対が備えられる電解槽に被処理水を導入し、当該被処理水に対して電解を行なうことにより、電気化学的に、次亜塩素酸等の滅菌作用を有する化学種を生成する水処理装置について、種々検討がなされている。
【０００３】
このような水処理装置においては、上記のような化学種を、安定した性能で生成することが重要とされている。
【０００４】
このような観点から、たとえば、従来では、特許文献１に記載されるように、電気分解によって電解槽内で生成した水素ガス等の気体を、当該電解槽に異物等が混入しないように除去する技術が開示されている。
【特許文献１】特開２００４−９７８５４号公報
【発明の開示】
【発明が解決しようとする課題】
【０００５】
しかしながら、従来に水処理装置では、まだ、安定した性能で上記したような化学種を生成するための課題が残されていた。
【０００６】
たとえば、複数の電極対が電解槽に配置された場合であって、被処理水が、当該複数の電極対の中の或る電極対で電解された後次の電極対で電解される場合、或る電極対で電解された際に発生した気体が、被処理水の中に留まり、次の電極対での電解の際に電極と被処理水との間で過大な抵抗として作用してしまう事態が考えられる。このような事態が生じると、電極対に供給された電力の一部が被処理水の電解に利用されなくなるため、電解による上記したような化学種の生成効率が低下すると考えられる。
【０００７】
また、電解槽において、被処理水の経路が、たとえば、ジグザグ状に、つまり、異なる複数の方向のものが接続されたように構成された場合、複数の電極対が余り離されて配置されると、その分経路が長くなる。そして、これにより、電解槽内で、被処理水が流路の方向が変わる箇所等で溜まり、せっかく電解により上記したような化学種が生成しても、電解槽の外部に当該化学種を安定した濃度で提供できない事態が考えられる。
【０００８】
また、電解槽において、上記のように、被処理水の経路がジグザグ状に構成された場合、複数の電極対が設置された際、近接する電極間で漏れ電流が発生し、これにより、電極対による被処理水の電解性能が不安定になる事態が考えられた。
【０００９】
また、従来、電極対を構成する電極は、穴を開けられ、複数枚重ねられ、各電極の当該穴に棒状の部材を通されることにより、固定されていた。
【００１０】
具体的には、従来の電極対は、図１５（Ａ）に示されるように、穴９０１を開けられた板状の電極９００が複数枚重ねられたもののそれぞれの穴９０１を貫通するように、図１５（Ｂ）に示されるような円柱状の部材９０２が適宜通されて、構成されていた。電極対を構成する複数枚の電極は、交互に、異なる極性の電力を供給されている。なお、このように構成された電極対は、電極９００の主面（一番面積の大きい面）が被処理水の流れる方向に沿うように設置される。そして、円柱状の部材９０２は、その長手方向が被処理水の流れに交わるように設置される。これにより、被処理水が電解槽内を流されると、部材９０２は、被処理水の流れによって、図１５（Ｂ）中に矢印９０３で示された方向に回転させられる。このように部材９０２が回転する。これにより、電極９００が部材９０２により磨耗して穴９０１が広がり、部材９０２が電極９００から外れ、そして、電極対において隣接する電極が短絡し、これによって、被処理水の電解性能が不安定になる事態が考えられた。また、電極間の短絡は、電極対内に限らず、隣接する電極対間でも考えられる。
【００１１】
本発明は、かかる実情に鑑み考え出されたものであり、その目的は、電極対を利用した被処理水の電解性能が安定した水処理装置を提供することである。
【課題を解決するための手段】
【００１２】
本発明のある局面に従った水処理装置は、被処理水を収容する電解槽と、前記電解槽内で、当該電解槽内に収容された被処理水に浸された複数の電極対とを備え、前記電解槽は、被処理水を導入される導入口と、被処理水を排出する排出口とを含み、前記導入口から前記排出口に被処理水を流れさせる送流装置に接続され、前記複数の電極対は、前記電解槽内で被処理水が流れる方向について、互いに特定の条件を満たすように配置されることを特徴とする。
【００１３】
また、本発明に従った水処理装置では、前記複数の電極対は、前記電解槽内で被処理水が流れる方向について、互いに、所定の距離以上離されて配置されることが好ましい。
【００１４】
また、本発明に従った水処理装置では、前記所定の距離は、前記電極対に電力が供給されたことによる電解によって被処理水中で生じた気泡が、前記送流装置によって前記電解槽内を流される被処理水から分離する距離であることが好ましい。
【００１５】
また、本発明に従った水処理装置は、前記複数の電極対への電力の供給を制御する制御手段をさらに備え、前記制御手段は、前記複数の電極対の中の、前記送流装置によって前記導入口から前記排出口まで被処理水が流される流路において近接する二つの電極対について、一方の電極対に含まれる電極には、他方の電極対に含まれる最も近い位置に配置された電極と同じ極性の電力を供給することが好ましい。
【００１６】
本発明の他の局面に従った水処理装置は、被処理水を収容する電解槽と、前記電解槽内で、当該電解槽内に収容された被処理水に浸された複数の電極対とを備え、前記電解槽は、被処理水を導入される導入口と、被処理水を排出する排出口とを含み、前記導入口から前記排出口に被処理水を流れさせる送流装置に接続され、前記複数の電極対の中で、前記電解槽内で被処理水が流れる方向について、前後に他の電極対が存在する電極対は、前記電解槽の内壁と特定の距離未満の間隔で配置されることを特徴とする。
【００１７】
また、本発明に従った水処理装置では、前記特定の距離は、前記送流装置によって前記電解槽内を流される被処理水において滞留が生じる距離であることが好ましい。
【００１８】
本発明のさらに他の局面に従った水処理装置は、被処理水を収容する電解槽と、前記電解槽内で、当該電解槽内に収容された被処理水に浸された電極対とを備え、前記電解槽は、被処理水を導入される導入口と、被処理水を排出する排出口とを含み、前記導入口から前記排出口に被処理水を流れさせる送流装置に接続され、前記電極対は、被処理水が前記電解槽内で前記送流装置によって流される方向に主面を沿うように設置された複数枚の板状の電極と、隣接する２枚の前記板状の電極に挟まれるように配置されたスペーサとを含み、前記スペーサは、前記被処理水が前記電解槽内で前記送流装置によって流される方向に沿う面を含むことを特徴とする。
【００１９】
また、本発明に従った水処理装置では、前記スペーサは、直方体であることが好ましい。
【００２０】
また、本発明に従った水処理装置は、隣接する２枚の前記板状の電極には、複数のスペーサが、挟まれるように配置されることが好ましい。
【発明の効果】
【００２１】
本発明に従うと、電解槽において、電極対が、互いに特定の条件を満たすように配置される。これにより、電解槽において上流側で設置された電極対上での電解で発生した気体が下流側の電極対上まで運ばれ、当該下流側の電極対上での電解において過大な抵抗となる事態や、電極対間で電極同士が短絡する事態を回避できるように、複数の電極対を配置することができる。したがって、水処理装置において、電極対を利用した被処理水の電解性能が安定させることができる。
【００２２】
また、本発明に従うと、電解槽において、電解によって生成された化学種が、外部に提供されず滞留することを回避できる。これにより、電解槽において電解により生成した化学種を電解槽外に安定して提供しにくい事態を回避できる。
【００２３】
また、本発明に従うと、電解槽に配置される電極対において、電極間に挟まれるように配置されるスペーサが、電解槽において被処理水の流れる方向に沿う面を含むように構成される。これにより、電解槽において、スペーサが回転して電極が磨耗するような事態を回避できる。したがって、水処理装置において、電極対を利用した被処理水の電解性能が安定させることができる。
【発明を実施するための最良の形態】
【００２４】
［第１の実施の形態］
図１に、本発明の水処理装置の一実施の形態を含む、水処理システムの機能的な構成を模式的に示す。本実施の形態の水処理装置は、プールや浴場等の施設で利用される水（湯）を被処理水とし、当該被処理水に対して電気分解を行なうことにより、当該被処理水に対して殺菌用の次亜塩素酸を供給する。図１において、矢印は、被処理水が流される方向を示している。
【００２５】
本実施の形態の水処理装置は、電解槽１０を含む。電解槽１０は、プール８０と、管１０１〜１０４によって接続されている。
【００２６】
プール８０内の被処理水は、ポンプ８１によって送られることにより、管８３内を、砂ろ過器８２を経て、プール８０内に戻される。管８３には、管１０１の一端および管１０４の一端が接続されている。
【００２７】
管１０１上には、開閉バルブ４１と、流量を調整するための調整バルブ４２と、流量計４３が接続されている。流量計４３は、管１０１上から着脱可能に構成されている。管１０１の他端には、管１０２の一端と管１０３の一端が接続されている。管１０２上には、フィルタ４４、フローセンサ４５、および、電磁弁４６が順に接続されている。管１０２の他端は、電解槽１０の上面に接続されている。管１０３上には、常時閉状態とされている調整バルブ４７が接続されている。管１０３の他端は、電解槽１０の側面に接続されている。開閉バルブ４１が開状態とされると、管８３内の被処理水は、管１０１および管１０２を介して、電解槽１０に導入される。管１０１内の被処理水の流量は、調整バルブ４２の開閉状態によって調整される。なお、非常時には、調整バルブ４３が開状態とされて、管１０３にも被処理水が導入される。
【００２８】
管１０４上には、電磁弁５１、減圧弁５２、調整バルブ５３、および、残留塩素濃度センサ５４が接続されている。管１０４の他端は、電解槽１０の上面に接続されている。プール８０内の被処理水は、その一部が砂ろ過器８２に導入される前に、管１０４に導入され、残留塩素濃度センサ５４でその残留塩素濃度を検出された後、電解槽１０に導入される。
【００２９】
電解槽１０には、水位センサ６０，６６、アノード電極とカソード電極からなる電極対１、および、フィルタ５０が設置されている。電解槽１０の上面には、排気管４９が接続されている。排気管４９上には、ブロアモータ４８が接続されている。電解槽１０内で、電解等により生じた気体は、ブロアモータ４８が動作することにより、排気管４９を介して、室外等、適切な場所に送られる。
【００３０】
電解槽１０の外周には、オーバーフロー槽５５が設けられている。電解槽１０からオーバーフローし、オーバーフロー槽５５に導入された被処理水は、調整バルブ３２を接続された管１０７を介して、ドレン９１に導入される。
【００３１】
電解槽１０の底部には、排出口（後述する排出口１２）が設けられている。排出口１２には、フローセンサ３０およびポンプ３１を接続された管１０５の一端が接続されている。管１０５の他端は、プール８０に接続されている。また、管１０５上の、フローセンサ３０とポンプ３１との間には、管１０６が接続されている。管１０６上には、調整バルブ３３が接続されている。フローセンサ３０において、過剰な流量が検出された場合には、調整バルブ３３が開かれることにより、管１０５内の被処理水が、管１０６を介して、ドレン９１に導入される。
【００３２】
管１０５の、ポンプ３１よりも下流側には、逆止弁３４、圧力計３５、流量計３６、調整バルブ３７、および、開閉バルブ３８が接続されている。
【００３３】
電解槽１０では、電極対１に電力を供給することにより、被処理水の電解が行なわれる。被処理水の電解により、当該被処理水中に、次亜塩素酸等の残留塩素が供給される。そして、このように残留塩素が供給された被処理水が、ポンプ１３で送られ、管１０５を介して、プール８０に供給される。
【００３４】
なお、図１では省略されているが、電解槽１０内の被処理水には、適宜、塩化ナトリウム等の塩化物イオンを含有する化合物が供給される。また、図１では、電極対１に電力を供給するための装置、および、ポンプ３１等の動作を制御する装置等、周知の装置の図示が省略されている。
【００３５】
また、図１に示された水処理システムには、さらに、次亜塩素酸ナトリウムの水溶液が貯留される薬剤槽９０が設置され、薬剤槽９０は、管１０９によって、管１０５と接続されている。管１０９上には、定量ポンプ３９が接続されている。残留塩素濃度センサ５４の検出出力等に基づいて、電解槽１０における電解能力（残留塩素の供給能力）の低下が検出されると、定量ポンプ３９が適宜作動され、これにより、薬剤槽９０内の次亜塩素酸ナトリウム水溶液が、管１０５内に送られて、プール８０内に導入される。
【００３６】
次に、電解槽１０の構成について説明する。
【００３７】
図２は、電解槽１０の上面図である。図２を参照して、電解槽１０は、その上面を蓋に覆われている。当該蓋には、管１０２を接続される導入口１１が形成されている。また、電解槽１０の底面には、被処理水を排出するための排出口１２が形成されている。なお、図２では、排気管４９、水位センサ６９等の図示が省略されている。
【００３８】
電解槽１０には、４組の電極対１が設置されている。各電極対１は、その上部の、蓋の上に突出している部分で、当該電極対１に電力を供給する装置に接続される。
【００３９】
水位センサ６０には、電解槽１０内の被処理水の水位を検出するための５つの検出部６１〜６５が設置されている。
【００４０】
図３は、電解槽１０の、蓋を取り外した状態での上面図である。また、図４は、図３のＩＶ−ＩＶ線に沿う矢視断面図である。
【００４１】
電解槽１０内には、被処理水の流路を形成するための板体１３〜１９が設置されている。板体１３〜１９によって、電解槽１０内では、４組の電極対１を順に通るように、ジグザグ形状の、被処理水の流路が形成されている。なお、図３中の実線の矢印は、被処理水の流れる方向を示している。
【００４２】
被処理水中では、水について、式（１）に示すような平衡が成り立っている。
【００４３】
Ｈ２Ｏ  ⇔  Ｈ＋＋ＯＨ−  （１）
また、電解槽１０内の被処理水に、塩化物イオンを供給する薬剤として、たとえば塩化ナトリウムが供給された場合には、当該塩化ナトリウムについて、式（２）に示すような平衡が成り立っている。
【００４４】
ＮａＣｌ  ⇔  Ｎａ＋＋Ｃｌ−  （２）
そして、電極対１に電力が供給されて、電解槽１０内で電解が行なわれた場合、アノード電極３の近傍では、式（３）〜（５）に示すように、水の電気分解により酸素ガスが発生し、塩化物イオンは塩素ガスとなり、塩素ガスの一部は水和して次亜塩素酸となる。
【００４５】
２Ｈ２Ｏ  ⇔  Ｏ２↑＋４Ｈ＋＋４ｅ−  （３）
２Ｃｌ−  ⇔  Ｃｌ２↑＋２ｅ−  （４）
Ｃｌ２＋Ｈ２Ｏ  ⇔  Ｈ＋＋Ｃｌ−＋ＨＣｌＯ  （５）
このように生成された次亜塩素酸が、プール８０に供給される。
【００４６】
なお、カソード電極２の近傍では、式（６），（７）に示すように、水の電気分解により水素ガスが発生し、アノード電極で生じたナトリウムイオンが水酸化物イオンと反応して水酸化ナトリウムが生成される。
【００４７】
２Ｈ２Ｏ＋２ｅ−  ⇔  Ｈ２↑＋２ＯＨ−  （６）
Ｎａ＋＋ＯＨ−  ⇔  ＮａＯＨ  （７）
そして、電解槽１０では、被処理水の流路に関して、排出口１２の手前には、被処理水から固形物や、上記のように発生した水素ガス等の気体を分離するための、フィルタ５０が設置されている。
【００４８】
また、電解槽１０では、被処理水の流路において、電極対１同士が、少なくとも、発生した水素ガスが被処理水から分離していくために必要な距離だけ、離されて配置されるいる。具体的には、たとえば、点Ｐと点Ｑを結ぶ一点鎖線の長さ、つまり、或る電極対１と、被処理水の流路において当該或る電極対１の次に配置されている電極対１との最短距離が、少なくとも上記のような距離だけ離されて配置されている。
【００４９】
なお、電極対１を構成する電極は、たとえば、幅８０ｍｍ、高さ２５０ｍｍ、厚み１ｍｍの板体とされる。また、電極対１間の距離としては、１４０ｍｍ以上とされることが好ましい。
【００５０】
図５は、電極対１の上面図である。
【００５１】
電極対１は、複数枚のアノード電極３とカソード電極２とが交互に並べられることにより構成され、アノード電極３とカソード電極２との間には、スペーサ７０が設置されており、そして、これらは、止め部材７１により固定されている。
【００５２】
図６は、アノード電極３の斜視図である。アノード電極は、金属性の板体であり、４個の穴３０１〜３０４を形成されている。カソード電極２も、基本的に、アノード電極３と同様の形状を有している。
【００５３】
図７は、スペーサ７０の斜視図である。スペーサ７０は、その外形が薄い直方体であり、アノード電極３に形成された穴３０１，３０２または穴３０３，３０４に対応する、穴７０Ａ，７０Ｂを形成されている。スペーサ７０は、たとえば、テフロン（登録商標）樹脂、ポリ塩化ビニル、ＡＢＳ（アクリロニトリル・ブタジエン・スチレン樹脂）等の絶縁体からなる。
【００５４】
図８は、止め部材７１の斜視図である。止め部材７１は、スペーサ７０と同様の絶縁体からなり、円柱状の本体７１Ａと、その一端に、円盤状の止め具７１Ｂとを含む。本体７１Ａは、図５に示されたような電極対１において、アノード電極３、スペーサ７０、および、カソード電極２が重ねられたものの厚み以上の長さを有する。止め具７１Ｂは、本体７１Ａに対して着脱可能に構成されている。
【００５５】
図９は、アノード電極３とスペーサ７０との、電極対１における位置関係を示す図である。また、図１０は、図５のＸ−Ｘ線に沿う矢視断面図である。アノード電極３には、穴３０２，３０１が穴７０Ａ，７０Ｂが対応するように、また、穴３０３，３０４に穴７０Ａ，７０Ｂに対応するように、２つのスペーサ７０がセットされる。止め部材７１に固定されることにより、アノード電極３は、電極対１において、隣接するカソード電極２との間に、当該カソード電極２とともに、２つのスペーサ７０を挟むように保持している。
【００５６】
スペーサ７０は、直方体であるため、被処理水の流れ沿う面、つまり、当該流れに対して平行な面を有し、これにより、電解槽１０内の被処理水の流れによって、回転等をせず安定して設置されることになる。
【００５７】
以上説明した本実施の形態では、水処理装置の一例である電解槽１０において、当該電解槽１０に導入された被処理水に対して電解処理を施すために外部から電力を供給される複数の電極対１が設置される。電解槽１０に導入された被処理水は、実線の矢印で示される方向に流される。そして、電極対１同士の距離（たとえば、点Ｐと点Ｑとを結ぶ一点鎖線で表された線の長さ）は、被処理水の流れる方向について、前の電極対１における電解で発生した水素ガスが次の電極対１に到達するまでに被処理水から分離していくために必要な距離以上とされる。
【００５８】
また、以上説明した本実施の形態では、スペーサ７０が電解槽１０において安定して設置されることにより、回転等によりアノード電極３等の電極を磨耗させて電極対１の電解能力を低下させる事態や、磨耗によりスペーサ自身が欠落することにより電極対１内の電極同士が短絡する事態を回避できる。
【００５９】
［第２の実施の形態］
図１１は、本発明の水処理装置の第２の実施の形態である電解槽１０Ａにおいて、蓋を外された状態での上面図である。つまり、第１の実施の形態の電解槽１０についての図３に対応した図である。そして、図１１においても、図３と同様に、電解槽１０Ａにおける被処理水の流れる方向が実線の矢印で示されている。
【００６０】
本実施の形態の電解槽１０Ａは、第１の実施の形態の電解槽１０と同様に、水処理システム内に設置され、プール等に次亜塩素酸を供給された被処理水を提供することができるように構成されている。
【００６１】
電解槽１０Ａでは、電極対１Ａ〜１Ｈの８組の電極対が設置されている。各電極対では、それぞれ、３枚のアノード電極３と２枚のカソード電極２とが、交互に、外側にアノード電極３が位置するように、設置されている。
【００６２】
電解槽１０では、被処理水の流れる方向について隣接する２つの電極対において、最短距離の電極については、同じ極性が印加された電極が配置されている。
【００６３】
図１２に示されるように、電極対１Ａ〜１Ｈのそれぞれにおいて、図示しない制御装置によって、外部の電源７５から、アノード電極３とカソード電極２に対して、適切な極性および電圧が供給される。
【００６４】
たとえば、最も上流側に位置する電極対１Ａとその次に上流側に位置する電極対１Ｂにおいて、電極対１Ａのアノード電極３Ａは、電極対１Ｂにおいてアノード電極３Ａと最短距離にあるアノード電極３Ｂと同じ極性を印加されている。
【００６５】
また、電極対１Ｄと、被処理水の流れる方向においてその次に位置する電極対１Ｅにおいて、電極対１Ｄのアノード電極３Ｄは、電極対１Ｅにおいてアノード電極３Ｄと被処理水の流路について最短距離にあるアノード電極３Ｅと、同じ極性が印加されている。
【００６６】
［第３の実施の形態］
図１３は、本発明の水処理装置の第３の実施の形態である電解槽１０Ｂにおいて、蓋を外された状態での上面図である。つまり、第１の実施の形態の電解槽１０についての図３に対応した図である。そして、図１３においても、図３と同様に、電解槽１０Ｂにおける被処理水の流れる方向が実線の矢印で示されている。
【００６７】
また、図１４は、図１３のＸＩＶ−ＸＩＶ線に沿う矢視断面図である。
【００６８】
電解槽１０Ｂでは、電極対１Ｊ〜１Ｎおよび電極対１Ｐ〜１Ｒの８組の電極対が設置されている。また、電解槽１０Ｂでは、板体１３〜１９の代わりに、後述する条件で電極対１Ｋ〜１Ｎおよび電極対１Ｐ，１Ｑを設置するために、板体１３Ａ〜１９Ａが設置されている。
【００６９】
なお、電解槽１０Ｂでは、被処理水の流路において、滞留が生じることによって生成した次亜塩素酸のプール８０への提供効率が低下することを回避するために、前後に他の電極対が存在する電極対、つまり、電極対１Ｋ〜１Ｎおよび電極対１Ｐ，１Ｑについては、板体１３Ａ〜１９Ａによって構成される電解槽１０Ｂの壁面との最長距離（点Ｘから点Ｙの距離や、点Ｗから点Ｖの距離等）が、滞留を生じるような距離未満とされる。なお、ここで言う滞留を生じるような距離とは、電解槽１０Ｂに供給される被処理水の流速や電極対を構成する電極の枚数等によって適宜決定されるものである。電解槽１０Ｂでは、たとえば、被処理水の流速が２０〜４０ｍｍ／秒の場合、各電極対を構成する電極と電解槽１０Ｂとの壁面の距離は６０ｍｍ未満とされる。
【００７０】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、各実施の形態に記載された技術は、単独でも、また可能な限り組合わされても、利用可能なものであると考えられるべきである。
【図面の簡単な説明】
【００７１】
【図１】本発明の一実施の形態である水処理装置を含む、水処理システムの構成を模式的に示す図である。
【図２】図１の電解槽の上面図である。
【図３】図１の電解槽の蓋を取り外した状態での上面図である。
【図４】図３のＩＶ−ＩＶ線に沿う矢視断面図である。
【図５】図４の電極対の上面図である。
【図６】図５のアノード電極の斜視図である。
【図７】図５のスペーサの斜視図である。
【図８】図５の部材の斜視図である。
【図９】図５のアノード電極とスペーサとの、電極対における位置関係を示す図である。
【図１０】図５のＸ−Ｘ線に沿う矢視断面図である。
【図１１】本発明の水処理装置の第２の実施の形態である電解槽の、その蓋を取り外した状態での上面図である。
【図１２】図１１の電解槽に収容される電極に電力を供給する機構を模式的に示す図である。
【図１３】本発明の水処理装置の第３の実施の形態である電解槽の、その蓋を取り外した状態での上面図である。
【図１４】図１３ののＸＩＶ−ＸＩＶ線に沿う矢視断面図である。
【図１５】従来の電極対の構成を説明するための図である。
【符号の説明】
【００７２】
１，１Ａ〜１Ｈ，１Ｊ〜１Ｎ，１Ｐ〜１Ｒ  電極対、２  カソード電極、３  アノード電極、１０，１０Ａ，１０Ｂ  電解槽、１１  導入口、１２  排出口、１３〜１９  板体、３１，３９，８１  ポンプ、４８  ブロアモータ、４９  排気管、７０  スペーサ、７１  止め部材、７５  直流電源、１０２  管。
【図１】
2006167699.tif 000003
【図２】
2006167699.tif 000004
【図３】
2006167699.tif 000005
【図４】
2006167699.tif 000006
【図５】
2006167699.tif 000007
【図６】
2006167699.tif 000008
【図７】
2006167699.tif 000009
【図８】
2006167699.tif 000010
【図９】
2006167699.tif 000011
【図１０】
2006167699.tif 000012
【図１１】
2006167699.tif 000013
【図１２】
2006167699.tif 000014
【図１３】
2006167699.tif 000015
【図１４】
2006167699.tif 000016
【図１５】
2006167699.tif 000017